(57)【要約】      （修正有）【課題】作成形性に優れ、しかも簡単に着脱可能に取り付けることができるネジ弛緩防止器具を提供する。【解決手段】リレー回路を固定するネジの緩みを防止する器具であって、一本の棒状の部材を曲げて形成されたものであり、棒状の部材の軸部１１ａの両端には、ネジのつまみに取り付け得るＣ字状の係合部１１ｂ、１１ｃがそれぞれ形成され、棒状の部材が金属製の部材で形成され、係合部は、表面に樹脂製のカバー部材１２が設けられ、カバー部材を設けた状態における内径がつまみの外径よりも小さくなるように形成されている。係合部をリレー回路を固定するネジのつまみに取り付けるだけの簡単な作業でネジが緩むのを確実に防止することができる。しかも、取り付け作業が容易であり、一本の棒状の部材を曲げて形成されているので成形性にも優れている。【選択図】図１
0003215624.tif 000002
【実用新案登録請求の範囲】
【請求項１】
リレー回路を固定するネジの緩みを防止する器具であって、
一本の棒状の部材を曲げて形成されたものであり、
前記棒状の部材の軸部の両端には、
前記つまみに取り付け得るＣ字状の係合部がそれぞれ形成されており、
前記棒状の部材が、金属製の部材で形成されており、
前記係合部は、
表面に樹脂製のカバー部材が設けられており、
該カバー部材を設けた状態における内径が、前記つまみの外径よりも小さくなるように形成されている
ことを特徴とするネジ弛緩防止器具。
【請求項２】
前記軸部の両端に形成された係合部は、
それぞれの開口が前記軸部の中心軸に対してそれぞれ逆側に位置するように形成されている
ことを特徴とする請求項１記載のネジ弛緩防止器具。
【請求項３】
前記リレー回路が、Ｆ形リレー回路である
ことを特徴とする請求項１または２記載のネジ弛緩防止器具。
【考案の詳細な説明】
【技術分野】
【０００１】
本考案は、ネジ弛緩防止器具に関する。さらに詳しくは、リレー回路の固定に使用されるネジのつまみに取り付けて使用されるネジ弛緩防止器具に関する。
【背景技術】
【０００２】
鉄道の信号設備は、列車同士の衝突などを起こさないように、列車間隔の制御および進路を制御する役割を担っている。このため、仮に信号設備に故障などの不具合が発生した場合には、適切に信号設備を制御する必要がある。このような信号設備の制御する方式の一つにリレーが用いられている。例えば、踏切の制御などには、踏切用のＦ形リレーが採用されている。このＦ形リレーは、踏切の近くに設置した制御盤等の内部に複数配置して使用されるものである。
【０００３】
一般的に、Ｆ形リレーは、制御盤等に固定したジャック板に２つのネジで固定したリレー回路をカバーで覆う構造となっている。一方、このＦ形リレーのわずかな不具合が重大な事故にもつながりかねないので、日々の定期点検やカバー内のリレー回路の交換などの作業は非常に重要である。しかも、一つの踏切の制御に必要な踏切用のＦ形リレーは、約３０個と非常に多い。このため、作業性の観点から、特別の工具を用いることなく簡単に作業ができるように、リレー回路をジャック板に固定するネジの頭部には、ローレック加工が施されたつまみがカバーの正面が突出するように設けられている。
【０００４】
ここで、このようなＦ形リレーは、踏切近くに設置されるので、列車の往来による振動によりリレー回路をジャック板に固定するネジが緩んでしまう場合がある。ネジが緩んでしまった場合、リレー回路がジャック板から脱落してしまう可能性がある。リレー回路がジャック板から脱落してしまうとリレー回路から踏切等に対して適切な信号を送信できない可能性がある。すると、踏切を適切に制御できなくなり、列車の走行に支障が生じたり、事故につながる恐れもある。
【０００５】
そこで、ネジの緩みを点検する作業が定期的に行われているが、かかる作業はすべて手作業で行われている。しかも、その作業に時間と労力を要することから作業者への負担も大きくなっている。
【０００６】
従来、ネジの緩みを防止する器具として種々の器具が開発されている（例えば、特許文献１、２）。
特許文献１には、リレーの一対のネジの緩みを防止する装置が開示されている。この装置は、一対のネジに固定するブラケットと、このブラケットに取り付けた弾性片からなり、弾性片を一対のネジの頭部に押し付けることによって、ネジの緩みを防止するものである。
また、特許文献２には、一対のネジの頭部に係合部を被せて、一対のネジの緩みを防止する装置が開示されている。具体的には、特許文献２の装置は、一対のネジの頭部に被せる一対の係合部と、一対の係合部を連結する連結部とを備えており、係合部を樹脂や軟質材などの変形性や可撓性を有する部材で形成することが開示されている。
【先行技術文献】
【特許文献】
【０００７】
【特許文献１】実開兵２−３１９１２号公報
【特許文献２】特開平４−２７２５０４号公報
【考案の概要】
【考案が解決しようとする課題】
【０００８】
しかるに、特許文献１の装置は、リレーへの取り付けが煩雑であり、取り付け作業に手間がかかる上、振動により弾性片がネジの頭部を押し付ける力が変動してネジに緩みが生じる可能性がある。また、特許文献２の装置は、別々の素材で形成した係合部と連結部を連結して形成されており、製造に手間とコストがかかるという問題がある。
【０００９】
したがって、鉄道の信号設備の制御に用いられるリレーのリレー回路をジャック板に固定するためのネジの緩みを防止するために、簡単に製造することができしかも簡単に取り付けることができるネジの弛緩防止器具が求められている。
【００１０】
本考案は上記事情に鑑み、成形性に優れ、しかも簡単に着脱可能に取り付けることができるネジ弛緩防止器具を提供する。
【課題を解決するための手段】
【００１１】
第１考案のネジ弛緩防止器具は、リレー回路を固定するネジの緩みを防止する器具であって、一本の棒状の部材を曲げて形成されたものであり、前記棒状の部材の軸部の両端には、前記つまみに取り付け得るＣ字状の係合部がそれぞれ形成されており、前記棒状の部材が、金属製の部材で形成されており、前記係合部は、表面に樹脂製のカバー部材が設けられており、該カバー部材を設けた状態における内径が、前記つまみの外径よりも小さくなるように形成されていることを特徴とする。
第２考案のネジ弛緩防止器具は、第１考案において、前記軸部の両端に形成された係合部は、それぞれの開口が前記軸部の中心軸に対してそれぞれ逆側に位置するように形成されていることを特徴とする。
第３考案のネジ弛緩防止器具は、第１考案または第２考案において、前記リレー回路が、Ｆ形リレー回路であることを特徴とする。
【考案の効果】
【００１２】
第１考案によれば、軸部の両端に形成された係合部をリレー回路を固定する２つのネジのつまみにそれぞれ取り付ければ、ネジが緩むのを防止すことができる。しかも、ネジのつまみに係合部を取り付けるだけであるので、ネジの弛緩防止作業が容易になる。さらに、一本の棒状の金属部材を曲げて形成するので、成形性に優れる。
第２考案によれば、係合部の開口が軸部の中心軸に対してそれぞれ逆側に位置するよう形成されているので、一のネジの回転エネルギーを他のネジに供給できるようになる。つまり、一のネジに対してかかるネジが緩む方向に力が加わると、他のネジに対しては締め付ける方向への力が加わることになる。したがって、ネジが外れてリレー回路が脱落するのを確実に防止することができる。
第３考案によれば、Ｆ形リレー回路では回路を固定する一対のネジのつまみがリレーの正面側に位置するように設けられているので、かかるつまみに本考案の器具を取り付けるだけでネジが緩むのを防止できる。このため、リレー回路の脱落を確実に防止することができる。したがって、かかるリレーを用いて踏切を制御する場合には、踏切を常に適切に制御できる状態に維持することができる。
【図面の簡単な説明】
【００１３】
【図１】本実施形態のネジ弛緩防止器具１０の概略図である。
【図２】本実施形態のネジ弛緩防止器具１０の大きさの概略説明図である。
【図３】本実施形態のネジ弛緩防止器具１０をリレー回路を固定するネジＮのつまみＮＴに取り付けた状態の概略説明図であり、（Ａ）は取り付けた状態をリレーの正面から見たときの概略説明図であり、（Ｂ）は取り付けた状態の概略平面図である。
【図４】リレー回路を固定するネジＮのつまみＮＴに本実施形態のネジ弛緩防止器具１０の取り付作業の概略説明図である。
【考案を実施するための形態】
【００１４】
本考案のネジ弛緩防止器具の実施形態を図面に基づいて説明する。
本実施形態のネジ弛緩防止器具は、リレー回路を固定するネジの緩みを防止する器具であって、ネジのつまみに簡単に取り付けるだけで、確実にネジの緩みを防止できるようにしたことに特徴を有している。
【００１５】
本実施形態のネジ弛緩防止器具が取り付けられるネジのつまみは、固定部材にリレー回路を固定するためのネジの頭部に設けられたつまみである。
図３または図４に示すように、リレー回路は、矩形状のカバー内に配置されたジャック板にネジＮで固定された状態で収容されている。このネジＮの頭部に設けられたつまみＮＴは、リレー回路の交換や点検等が行い易いようにリレーの正面側に位置し、かつカバーから突出した状態で設けられている。このつまみＮＴの表面には、ネジＮ軸の周方向に手作業で回してネジＮを締め付けたり緩めたりし易いようにローレット目などの滑りとめ加工が施されている（図３参照）。つまり、作業者が手でつまみＮＴをカバーの正面に向かって反時計方向に回せばネジＮを緩めることができ、その逆に時計方向に回せばネジＮを締め付けることができるようになっている。
【００１６】
本実施形態のネジ弛緩防止器具１０が取り付けられるつまみＮＴを有するネジＮを使用するリレーは、とくに限定されない。リレー回路を固定部材に固定するネジＮが上述したようなつまみＮＴを有するものであれば、リレーの型式等にかかわらず本実施形態のネジ弛緩防止器具１０を取り付けることができる。例えば、複数のつまみＮＴを有する型式のリレー（例えば、Ｆ形リレー）であれば、本実施形態のネジ弛緩防止器具１０を取り付けやすくなる。
【００１７】
本実施形態のネジ弛緩防止器具を取り付けることができるリレーの用途もとくに限定されない。例えば、リレーが上述したつまみＮＴを有していれば、鉄道の信号設備の制御や、ポンプの運転制御、発変電所の制御などの様々な用途に使用されているリレーのつまみＮＴに本実施形態のネジ弛緩防止器具の係合部を取り付けてネジの弛緩を防止することができる。
【００１８】
（本実施形態のネジ弛緩防止器具１０）
以下、本実施形態のネジ弛緩防止器具１０について説明する。
図１、図２（Ａ）に示すように、本実施形態のネジ弛緩防止器具１０は、一本の棒状の部材からなる本体部１１と、カバー部材１２と、を備えている。
【００１９】
図１、図２（Ａ）に示すように、本体部１１は、両端に設けられたＣ字状の係合部１１ｂ、１１ｃと、この係合部１１ｂ、１１ｃ同士を連結するように設けられた棒状の軸部１１ａと、からなる一本の棒状の部材である。
【００２０】
図２に示すように、係合部１１ｂ、１１ｃは、棒状の軸部１１ａの両端から延びた棒状の部材をそれぞれ折り曲げてＣ字状に形成したものである。そして、この係合部１１ｂ、１１ｃに囲まれた空間１１ｈが、つまみＮＴを収容するための空間となる。
具体的には、この係合部１１ｂ、１１ｃは、つまみＮＴの外径と略相似形かつその内径がつまみＮＴの外径と略同じか若干大きくなるように形成されている。
そして、図２に示すように、係合部１１ｂ、１１ｃは、その表面にカバー部材１２を設けた状態では、その内端間の距離ＤがつまみＮＴの外径ＮＤよりも若干小さくなるように形成されている。
【００２１】
また、図１〜図３（Ａ）または図４に示すように、係合部１１ｂ、１１ｃは、本実施形態のネジ弛緩防止器具１０を正面（図１、図２、図３（Ａ）、図４では紙面に対して直交する方向）から見たときに、Ｓ字状、言い換えれば８の字状となるように成形されている。
【００２２】
具体的には、図２に示すように、係合部１１ｂ、１１ｃは、それぞれのＣ字状の開口（図１では係合部１１ｂ、１１ｃの先端と、軸部１１ａと連結する基端との間に形成された空間）が軸部１１ａの中心軸ＣＬに対してそれぞれ逆側に位置するように形成されている。より具体的には、例えば、図２に示すように、正面視において、左側に位置する係合部１１ｂの開口が軸部１１ａの中心軸ＣＬに対して上方に位置する場合には、右側に位置する係合部１１ｃの開口が軸部１１ａの中心軸ＣＬに対して下方に位置するように形成されている。なお、つまみＮＴに本実施形態のネジ弛緩防止器具１０を取り付ける際には、かかる状態で取り付けるのが好ましいが、その理由は後述する本実施形態のネジ弛緩防止器具１０の取付方法で具体的に説明する。
【００２３】
また、図２に示すように、本実施形態のネジ弛緩防止器具１０は、正面から見たときに、その幅方向の大きさは、係合部１１ｂ、１１ｃの中心間の距離Ｗが隣接するつまみＮＴの中心間の距離ＮＷ（言い換えれば、隣接するネジＮの中心軸間の距離）と略同じ大きさとなるように形成されている。
【００２４】
図１、図２（Ａ）に示すように、カバー部材１２ｂ、１２ａは、係合部１１ｂ、１１ｃの表面をそれぞれ覆うように設けられた部材である。カバー部材１２ｂ、１２ａは、係合部１１ｂ、１１ｃを覆った状態でつまみＮＴに取り付けた際、つまみＮＴの表面に対してある程度の抵抗を発揮するように形成されている。このようなカバー部材１２の素材は、上記機能を発揮するものであれば、とくに限定されない。例えば、樹脂製のものや軟質材などの変形性を有するもの、ゴムなどの弾性を有するものを素材として採用することができる。
【００２５】
なお、本実施形態のネジ弛緩防止器具１０の本体部１１は、金属製のものであれば、その素材はとくに限定されない。本体部１１の素材が金属であれば、一体形成しやすくかつ形成後もその形状を維持しやすい。例えば、鉄や銅、アルミニウム、金、銀、ニッケルやこれらの合金などを素材として本実施形態のネジ弛緩防止器具１０の本体部１１を形成することができる。
とくに、本体部１１の素材として、アルミニウムを使用すれば、鉄などに比べて成形性に優れているので、製作が容易になる。このため、つまみＮＴの大きさ等に応じた成形の自由度が高くなるという利点が得られる。また、鉄などの場合と比べて軽量化できるので、取り扱い性の面でも優れている。
【００２６】
（本実施形態のネジ弛緩防止器具１０の取付方法）
つぎに、本実施形態のネジ弛緩防止器具１０を、つまみＮＴを有するリレーに取り付ける方法を説明する。
以下では、代表として、一対のネジＮでリレー回路を固定部材であるジャック板に固定する形式を採用するＦ形リレーの一対のつまみＮＴに本実施形態のネジ弛緩防止器具１０を取り付ける場合を説明するが、つまみＮＴを有するリレーであれば、同様の方法で、本実施形態のネジ弛緩防止器具１０を取り付けることができる。
【００２７】
図４に示すように、本実施形態のネジ弛緩防止器具１０のそれぞれの係合部１１ｂ、１１ｃの収容空間１１ｈにリレーの一対のつまみＮＴが入るように取り付ける。
【００２８】
例えば、本実施形態のネジ弛緩防止器具１０のそれぞれの係合部１１ｂ、１１ｃの収容空間１１ｈの開口面が、一対のつまみＮＴの頭頂部（図２ではつまみＮＴの正面に位置する部分）に対向するように本実施形態のネジ弛緩防止器具１０を配置する。
そして、そのまま背面側に向かって移動（つまりネジＮの軸方向に沿うように背面側に向かって移動）させれば、本実施形態のネジ弛緩防止器具１０のそれぞれの係合部１１ｂ、１１ｃを一対のつまみＮＴに係合するようにして取り付けることができる。
【００２９】
かかる状態において、本実施形態のネジ弛緩防止器具１０のカバー部材１２ｂ、１２ａを設けた状態の係合部１１ｂ、１１ｃは、収容空間１１ｈの内端間距離Ｄが上述したようにつまみＮＴの外径ＮＤよりもやや小さくなるように形成されている。このため、つまみＮＴの表面（例えば、図２または図３ではつまみＮＴ表面に形成された凹凸形状のうち凸部の上部）がカバー部材１２ｂ、１２ａに若干食い込むように取り付けることができる。そして、カバー部材１２ｂ、１２ａがその素材が上述したような抵抗部材で形成されているので、つまみＮＴがネジＮ軸の周方向に回転しようとして移動する場合、カバー部材１２ｂ、１２ａが抵抗となりつまみＮＴの移動が抑制される。
【００３０】
とくに、本実施形態のネジ弛緩防止器具１０を取り付ける際には、図４に示すように、正面視において、係合部１１のうち、開口が軸部１１ａの中心軸ＣＬに対して上方に位置する係合部１１ｂを一対のつまみＮＴ、ＮＴのうち左側に位置するつまみＮＴに取り付け、その逆の右側のつまみＮＴには、開口が軸部１１ａの中心軸ＣＬに対して下方に位置する係合部１１ｃを取り付けるのが好ましい。かかる状態でつまみＮＴに係合部１１ｂ、１１ｃを取り付ければ、一のつまみＮＴが緩んだとしても他のつまみＮＴが緩むのを防止できる。
【００３１】
例えば、左側のつまみＮＴに対して緩む方向（つまりネジＮ軸に対して反時計方向）へ力が加わると、かかる回転エネルギーが係合部１１に供給され、軸部１１ａに対して上方に向かう力が加わる。一方、係合部１１ｂ、１１ｃと軸部１１ａからなる本体部１１は一本の金属部材で形成されているので、軸部１１ａに供給された力は、反対側の端部に連結された係合部１１ｃに移動して、係合部１１ｃを上方へ移動させる方向に働く。
この場合、係合部１１ｃに設けられたカバー部材１２ａをつまみＮＴの表面に対してより強く接触させることができるので、かかるつまみＮＴのネジＮの周方向への移動を抑制できる。
【００３２】
しかも、上記のごとき姿勢となるように本実施形態のネジ弛緩防止器具１０を取り付ければ、振動によって、一のつまみＮＴ（または一のネジＮ）に対してネジＮ軸が緩む方向に力が加わった場合には、他のつまみＮＴ（または他のネジＮ）に対して逆に締め付ける力を供給することができるようになる。
【００３３】
例えば、図３において、振動によって右側のつまみＮＴ（または一のネジＮ）に対してネジＮ軸が緩む周方向に回転するエネルギーが加わった場合、かかる回転エネルギーは実施形態のネジ弛緩防止器具１０の係合部１１ｂ、軸部１１ａ、係合部１１と順に強弱を伴いながら移動して右側のつまみＮＴ（または他のネジＮ）に対して供給される。このとき、軸部１１ａから左側の係合部１１ｃの基端に移動したエネルギーは係合部１１ｃの先端に向かって強弱を有しながら移動するので、右側のつまみＮＴ（または一のネジＮ）に対してネジＮ軸が緩む周方向の回転エネルギーとは逆の右側のつまみＮＴ（または他のネジＮ）を締め付ける力が加わることになる。つまり、左側のつまみＮＴ（または一のネジＮ）に対して緩む方向に力が加わると、右側のつまみＮＴ（または一のネジＮ）に対しては、反対の締め付ける力を供給することができるようになる。
【００３４】
以上のように、本実施形態のネジ弛緩防止器具１０の係合部１１ｂ、１１ｃをリレーの正面カバーから突出するように設けられた一対の一のつまみＮＴに係合するように取り付けるだけで、一のネジＮ（つまり一のつまみＮＴ）が緩んだとしても、他のネジＮ（つまり他のつまみＮＴ）が締め付けられるので、両方のネジＮが外れてリレー回路が固定部材であるジャック板から脱落するのを確実に防止することができる。
つまり、本実施形態のネジ弛緩防止器具１０の係合部１１ｂ、１１ｃをリレーのつまみＮＴに取り付けるだけの簡単な作業で、リレー回路の脱落を防止できるのである。
【００３５】
かかるリレーが踏切を制御するリレーとして使用される場合には、列車の往来による振動によりリレー回路をジャック板に固定するネジＮが緩んでしまうことが発生する。しかしながら、上記のごとき姿勢となるように本実施形態のネジ弛緩防止器具１０の係合部１１ｂ、１１ｃをかかるリレーのつまみＮＴに取り付けておけば、リレー回路が脱落するのを防止できる。
このため、常にリレー回路から踏切等に対して適切な信号を送信できる状態に維持することができるので、踏切を常に適切に制御できる状態に維持することができる。
【００３６】
（本実施形態のネジ弛緩防止器具１０の製造について）
本実施形態のネジ弛緩防止器具１０の本体部１１は、軸部１１ａと係合部１１ｂ、１１ｃを別々に形成した部材を溶接などで連結して形成してもよいし、一枚の板をプレスによる打ち抜きによって形成してもよい。しかし、本体部１１は、一本の金属製の棒状の部材を折り曲げて形成するのが望ましい。例えば、所定の長さの一本の棒状の部材の両端部をＣ字状に折り曲げることによって本体部１１を形成することができる。かかる方法で形成すれば、特別な装置等を用いることなく、しかも両端部を曲げるという簡単な工程でネジ弛緩防止器具１０の本体部１１を製造できる。そして、両端の係合部１１ｂ、１１ｃを樹脂製のカバー部材１２ａ、１２ｂで被覆等すれば、本実施形態のネジ弛緩防止器具１０を容易に製造できる。
【００３７】
このような棒状の部材としては、架空配電線等に使用される太さが約３〜５ｍｍ程度のバインド線ビニルアルミニウムを使用することができる。かかる部材は、鉄道業界において様々な作業に使用される一般的な部材であるので、必要に応じて簡単に入手でき、しかも必要な長さだけカットすればよいので余分な部材が発生しないし、コストも低減できるという利点が得られる。さらに、かかる部材を使用すれば、金属部材の表面に樹脂製の部材が被覆されているので、係合部１１ｂ、１１ｃの表面にカバー部材１２ａ、１２ｂを設ける工程を簡素化できるという利点も得られる。
【産業上の利用可能性】
【００３８】
本考案のネジ弛緩防止器具は、鉄道の信号設備の制御や、ポンプの運転制御、発変電所の制御等に利用されるリレー回路の脱落を防止するための器具として適している。
【符号の説明】
【００３９】
１０    ネジ弛緩防止器具
１１    本体部
１１ａ  軸部
１１ｂ  係合部
１１ｃ  係合部
１２    カバー部材
Ｄ      係合部にカバー部材を設けた状態の内径
Ｎ    リレー回路を固定するネジ
ＮＴ  リレー回路を固定するネジのつまみ
ＮＤ  つまみの外径
【図１】
0003215624.tif 000003
【図２】
0003215624.tif 000004
【図３】
0003215624.tif 000005
【図４】
0003215624.tif 000006
【手続補正書】
【提出日】平成30年1月29日(2018.1.29)
【手続補正１】
【補正対象書類名】実用新案登録請求の範囲
【補正対象項目名】全文
【補正方法】変更
【補正の内容】
【実用新案登録請求の範囲】
【請求項１】
リレー回路を固定するネジの緩みを防止する器具であって、
一本の棒状の部材を曲げて形成されたものであり、
前記棒状の部材の軸部の両端には、
前記ネジのつまみに取り付け得るＣ字状の係合部がそれぞれ形成されており、
前記棒状の部材が、金属製の部材で形成されており、
前記係合部は、
表面に樹脂製のカバー部材が設けられており、
該カバー部材を設けた状態における内径が、前記ネジのつまみの外径よりも小さくなるように形成されている
ことを特徴とするネジ弛緩防止器具。
【請求項２】
前記軸部の両端に形成された係合部は、
それぞれの開口が前記軸部の中心軸に対してそれぞれ逆側に位置するように形成されている
ことを特徴とする請求項１記載のネジ弛緩防止器具。
【請求項３】
前記リレー回路が、Ｆ形リレー回路である
ことを特徴とする請求項１または２記載のネジ弛緩防止器具。
【手続補正２】
【補正対象書類名】明細書
【補正対象項目名】００１１
【補正方法】変更
【補正の内容】
【００１１】
第１考案のネジ弛緩防止器具は、リレー回路を固定するネジの緩みを防止する器具であって、一本の棒状の部材を曲げて形成されたものであり、前記棒状の部材の軸部の両端には、前記ネジのつまみに取り付け得るＣ字状の係合部がそれぞれ形成されており、前記棒状の部材が、金属製の部材で形成されており、前記係合部は、表面に樹脂製のカバー部材が設けられており、該カバー部材を設けた状態における内径が、前記ネジのつまみの外径よりも小さくなるように形成されていることを特徴とする。
第２考案のネジ弛緩防止器具は、第１考案において、前記軸部の両端に形成された係合部は、それぞれの開口が前記軸部の中心軸に対してそれぞれ逆側に位置するように形成されていることを特徴とする。
第３考案のネジ弛緩防止器具は、第１考案または第２考案において、前記リレー回路が、Ｆ形リレー回路であることを特徴とする。